(57)【要約】【課題】光学部材の位置合わせ精度を向上させる。【解決手段】レンズ鏡筒であって、光学部材と、径方向に突出するカムピンを有して光学部材の光軸と同軸に配された第一筒状部材と、カムピンに係合するカム溝を有して第一筒状部材と同軸に配された第二筒状部材とを備え、第一筒状部材が第二筒状部材に対して光軸の廻りに相対的に回転した場合に、光学部材を光軸と平行な方向に駆動するレンズ鏡筒であって、カムピンは、カム溝に少なくとも一部が接する環状の面から陥没して形成され、環状の面の周方向に延在する溝を有する。【選択図】図８
2014032356.tif 000002
【特許請求の範囲】
【請求項１】
光学部材と、
径方向に突出するカムピンを有して前記光学部材の光軸と同軸に配された第一筒状部材と、
前記カムピンに係合するカム溝を有して前記第一筒状部材と同軸に配された第二筒状部材と
を備え、
前記第一筒状部材が前記第二筒状部材に対して前記光軸の廻りに相対的に回転した場合に、前記光学部材を前記光軸と平行な方向に駆動するレンズ鏡筒であって、
前記カムピンは、前記カム溝に少なくとも一部が接する環状の面から陥没して形成され、前記環状の面の周方向に延在する溝を有するレンズ鏡筒。
【請求項２】
前記カムピンを、前記カム溝に対して嵌入する方向に付勢する付勢部材を更に備える請求項１に記載のレンズ鏡筒。
【請求項３】
前記カムピンの中心軸を含む断面の上で、前記溝の両端のうち前記カムピンの先端に近い端において、前記溝の内面と前記カムピンが前記カム溝に接する面とが鋭角をなす請求項１または請求項２に記載のレンズ鏡筒。
【請求項４】
前記カム溝は、前記カムピンが前記カム溝に嵌入する方向に対して傾斜したカム面において前記カムピンに接する請求項１から請求項３までのいずれか一項に記載のレンズ鏡筒。
【請求項５】
請求項１から請求項４までのいずれか一項に記載のレンズ鏡筒を備える光学機器。
【発明の詳細な説明】
【技術分野】
【０００１】
本発明は、レンズ鏡筒および光学機器に関する。
【背景技術】
【０００２】
サブピンおよびサブカム溝を設けて１群鏡筒の脱落を防止したレンズ鏡筒がある（特許文献１参照）。
［特許文献１］  特開２０１１−０３９３８６号公報
【発明の概要】
【発明が解決しようとする課題】
【０００３】
サブカム溝を設けるとカム筒の強度が低下する。
【課題を解決するための手段】
【０００４】
本発明の第一態様においては、光学部材と、径方向に突出するカムピンを有して光学部材の光軸と同軸に配された第一筒状部材と、カムピンに係合するカム溝を有して第一筒状部材と同軸に配された第二筒状部材とを備え、第一筒状部材が第二筒状部材に対して光軸の廻りに相対的に回転した場合に、光学部材を光軸と平行な方向に駆動するレンズ鏡筒であって、カムピンは、カム溝に少なくとも一部が接する環状の面から陥没して形成され、環状の面の周方向に延在する溝を有するレンズ鏡筒が提供される。
【０００５】
本発明の第二態様においては、上記レンズ鏡筒を備える光学機器が提供される。
【０００６】
上記発明の概要は、この発明の必要な特徴の全てを列挙したものではない。これらの特徴群のサブコンビネーションもまた発明となり得る。
【図面の簡単な説明】
【０００７】
【図１】一眼レフカメラ１００の模式的断面図である。
【図２】レンズユニット２００の模式的断面図である。
【図３】レンズユニット２００の光軸に直交する模式的断面図である。
【図４】レンズユニット２００後部の模式的断面図である。
【図５】レンズユニット２００後部の模式的断面図である。
【図６】可動カムピン２９２の斜視図である。
【図７】可動カムピン２９２の断面図である。
【図８】レンズユニット２００後部の模式的断面図である。
【発明を実施するための形態】
【０００８】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【０００９】
図１は、光学機器の一例である一眼レフカメラ１００の模式的断面図である。一眼レフカメラ１００は、レンズユニット２００およびカメラボディ３００を含む。
【００１０】
なお、記載を簡潔にする目的で、下記の説明においては、カメラボディ３００に装着されたレンズユニット２００に対して物体側を、一眼レフカメラ１００の前側または先側と記載する。また、レンズユニット２００に対して物体から遠い側を、一眼レフカメラ１００における後側または背面側と記載する。
【００１１】
レンズユニット２００は、光軸Ｘに沿って配置された第一レンズ群２１０、第二レンズ群２２０、第三レンズ群２３０、第四レンズ群２４０、第五レンズ群２５０および第六レンズ群を含む光学系を有する。第一レンズ群２１０、第二レンズ群２２０、第三レンズ群２３０、第四レンズ群２４０、第五レンズ群２５０および第六レンズ群は、それぞれレンズ保持枠２１２、２２２、２３２、２４２、２５２、２６２に個別に保持される。
【００１２】
図示のレンズユニット２００は、第一レンズ群２１０、第二レンズ群２２０、第三レンズ群２３０、第四レンズ群２４０、第五レンズ群２５０および第六レンズ群２６０が相互に接近した沈胴状態にある。これにより、レンズユニット２００の光軸Ｘ方向の長さが短縮されて携帯性は向上する。ただし、沈胴状態にあるレンズユニット２００は、光学装置としては使用できない。
【００１３】
レンズユニット２００は、固定筒２０１、ズーム環２０２、直進筒２０３、先筒２０４、カム筒２９０、案内筒２０６、先側移動枠２０７および後側移動枠２０９を含む鏡筒を有する。固定筒２０１は、後端にレンズ側マウント部２０８を有する。レンズ側マウント部２０８をカメラボディ３００前面のボディ側マウント部３６０と結合させることにより、固定筒２０１は、カメラボディ３００に対して結合される。
【００１４】
レンズ側マウント部２０８およびボディ側マウント部３６０の結合は解除できる。よって、カメラボディ３００は、規格に適合するレンズ側マウント部２０８を有する他のレンズユニット２００と組み合わせても使用できる。
【００１５】
ズーム環２０２は、固定筒２０１の外周面に配され、ユーザの操作により、光学系の光軸Ｘを回転軸として回転する。レンズユニット２００におけるズーム環２０２は、レンズユニット２００を伸筒させて沈胴状態を解除する場合に、ユーザにより回転操作される。また、ズーム環２０２は、レンズユニット２００の光学系を変倍させる場合にも、ユーザにより回転操作される。
【００１６】
レンズユニット２００において、第四レンズ群２４０を保持するレンズ保持枠２４２は、先側移動枠２０７に対して移動可能に支持される。レンズ保持枠２４２は、先側移動枠２０７に固定された送りねじ組立体２７０により駆動される。
【００１７】
送りねじ組立体２７０は、ステッピングモータ２７２、送りねじ２７４およびフレーム２７６を有する。フレーム２７６は、ステッピングモータ２７２および送りねじ２７４を一体的に支持すると共に、先側移動枠２０７に対して固定される。ステッピングモータ２７２は、送りねじ２７４を回転駆動する。送りねじ２７４は、ラック部材２７８を介してレンズ保持枠２４２と係合する。
【００１８】
これにより、レンズ保持枠２４２に保持された第四レンズ群２４０を移動させることができる。第四レンズ群２４０が移動した場合、レンズユニット２００の光学系の焦点位置が変化する。よって、カメラボディ３００側からの信号に基づいてステッピングモータ２７２を電気的に制御して、レンズユニット２００を合焦させることができる。
【００１９】
カメラボディ３００は、ボディ側マウント部３６０の後方に配されたミラーユニット３７０を備える。ミラーユニット３７０の下方には合焦光学系３８０が配される。ミラーユニット３７０の上方にはフォーカシングスクリーン３５２が配される。
【００２０】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００２１】
ミラーユニット３７０の後方には、シャッタユニット３１０、ローパスフィルタ３３２、撮像素子３３０、基板３２０および表示部３４０が順次配される。液晶表示板等により形成される表示部３４０は、カメラボディ３００の背面に表われる。基板３２０には、制御部３２２および画像処理部３２４等が実装される。
【００２２】
ミラーユニット３７０は、メインミラー３７１およびサブミラー３７４を含む。メインミラー３７１は、メインミラー回動軸３７３により軸支されたメインミラー保持部３７２に支持される。
【００２３】
サブミラー３７４は、サブミラー回動軸３７６により軸支されたサブミラー保持部３７５に支持される。サブミラー保持部３７５は、メインミラー保持部３７２に対して回動する。よって、メインミラー保持部３７２が回動した場合、サブミラー保持部３７５もメインミラー保持部３７２と共に変位する。
【００２４】
メインミラー保持部３７２の前端が降下した場合、メインミラー３７１は、レンズユニット２００から入射した入射光束上に斜めに位置する。メインミラー保持部３７２が上昇した場合、メインミラー３７１は、入射光束を避けた位置に退避する。
【００２５】
メインミラー３７１が入射光束上に位置する場合、レンズユニット２００を通じて入射した入射光束は、メインミラー３７１に反射されてフォーカシングスクリーン３５２に導かれる。フォーカシングスクリーン３５２は、レンズユニット２００の光学系と共役な位置に配されて、レンズユニット２００の光学系が形成した像を可視化する。
【００２６】
フォーカシングスクリーン３５２上の像は、ペンタプリズム３５４およびファインダ光学系３５６を通じてファインダ３５０から観察される。ここで、ペンタプリズム３５４を通じて像を観察することにより、ファインダ３５０からは正立正像を観察できる。
【００２７】
測光センサ３９０は、ファインダ光学系３５６の上方に配され、分岐されさた入射光束の一部を受光する。測光センサ３９０は、被写体輝度を検出して、制御部３２２に撮影条件の一部である露出条件を算出させる。
【００２８】
メインミラー３７１は、入射光束の一部を透過するハーフミラー領域を有する。サブミラー３７４は、ハーフミラー領域から入射した入射光束の一部を、合焦光学系３８０に向かって反射する。合焦光学系３８０は、入射した入射光束の一部を焦点検出センサ３８２に導く。これにより、制御部３２２は、レンズユニット２００の光学系を合焦させる場合に移動するレンズの目標位置を決定する。
【００２９】
上記のようなレンズユニット２００およびカメラボディ３００を備える一眼レフカメラ１００においてレリーズボタンが半押しされると、焦点検出センサ３８２および測光センサ３９０が有効になり、被写体像を適切な撮影条件で撮影できる状態になる。
【００３０】
次いで、レリーズボタンが全押しされると、メインミラー３７１およびサブミラー３７４が退避位置に移動して、シャッタユニット３１０が開く。これにより、レンズユニット２００から入射した入射光束は、ローパスフィルタ３３２を通過して、撮像素子３３０に入射する。こうして、レンズユニット２００の光学系により撮像素子３３０の撮像面に形成された画像が撮像される。
【００３１】
図２は、レンズユニット２００の断面図である。図２では、光軸Ｘの図中上側に、広角側に変倍されたレンズユニット２００の断面を示す。また、図２では、光軸Ｘの図中下側に、望遠側に変倍されたレンズユニット２００の断面を示す。
【００３２】
図２において、図１と共通の要素には同じ参照番号を付して重複する説明を省く。ただし、図２は、光軸Ｘを含む断面である点で図１と共通するものの、図１とは異なる断面を示す。よって、共通要素の一部は、図１と異なる形状で描かれる。
【００３３】
レンズユニット２００において、直進筒２０３は、リード部２８１においてズーム環２０２と係合する。直進筒２０３は、固定筒２０１に対する回転が抑制されているので、ズーム環２０２が回転操作された場合、光軸Ｘ方向に並進する駆動力をズーム環２０２から受ける。
【００３４】
カム筒２９０は、それ自体の後端付近に配されたバヨネット爪２８６により、直進筒２０３の後端付近に係合する。バヨネット爪２８６は、直進筒２０３の内面に周方向に延在するバヨネット溝に係合するので、カム筒２９０は、光軸Ｘの周りに回転できる。しかしながら、直進筒２０３が光軸Ｘ方向に並進した場合は、直進筒２０３に連れ従って、カム筒２９０も光軸方向に移動する。換言すれば、カム筒２９０と直進筒２０３とは、光軸Ｘ方向に限って係合されている。
【００３５】
また、カム筒２９０は、それ自体の外周面に固定された連結ピン２８５を通じて、ズーム環２０２内面に光軸Ｘと平行に設けられた直進溝４０５に係合する。これにより、ズーム環２０２が回転操作された場合、カム筒２９０も共に回転する。
【００３６】
既に説明した通り、ズーム環２０２が回転操作された場合、直進筒２０３は光軸Ｘ方向に並進し、カム筒２９０も直進筒２０３に連れ従って並進する。よって、ズーム環２０２が回転操作された場合、カム筒２９０は、光軸Ｘの周りに回転しつつ、光軸Ｘ方向に並進する。
【００３７】
案内筒２０６は、カム筒２９０の内側に位置し、固定筒２０１に結合されて固定される。よって、ズーム環２０２が回転操作された場合、直進筒２０３およびカム筒２９０は、案内筒２０６に対しても並進することになる。案内筒２０６は、光軸Ｘの方向についてレンズユニット２００の前端側に向かって延在するので、カム筒２９０を内面側から支持すると共に、直進筒２０３の後端に設けられたキー２８７と係合する直進溝２８８により、直進筒２０３の回転を規制する。
【００３８】
先筒２０４は、先端に第一レンズ群２１０のレンズ保持枠２１２を支持する。また、先筒２０４は、圧入カムピン２８２等により直進筒２０３およびカム筒２９０に係合して双方から支持される。よって、直進筒２０３およびカム筒２９０が光軸Ｘ方向に並進する場合は、先筒２０４も連れ従って光軸Ｘ方向に並進する。
【００３９】
更に、ズーム環２０２が回転操作された場合、先筒２０４は、回転することなく並進する直進筒２０３と、回転しつつ並進するカム筒２９０との間で駆動されて、直進筒２０３およびカム筒２９０に対しても並進する。これにより、先筒２０４の先端に保持された第一レンズ群２１０は、固定筒２０１から前方に大きく繰り出される。
【００４０】
先側移動枠２０７は、カム筒２９０および案内筒２０６の内側に配され、第三レンズ群２３０および第五レンズ群２５０を保持するレンズ保持枠２３２、２５２を併せて支持する。後側移動枠２０９は、先側移動枠２０７の更に内側に配され、第六レンズ群２６０を保持するレンズ保持枠２６２を支持する。
【００４１】
先側移動枠２０７および後側移動枠２０９は、カム筒２９０に係合して、ズーム環２０２が回転操作された場合に、光軸Ｘ方向にそれぞれ移動する。図中には、後側移動枠２０９をカム筒２９０に係合させる圧入カムピン２６４が見えている。圧入カムピン２６４は、後側移動枠２０９に対して圧入されることにより、後側移動枠２０９に対して固定されている。
【００４２】
なお、第六レンズ群２６０は、レンズ保持枠２６２の背面側に配された付加レンズ群２６１を更に含む。付加レンズ群２６１は付加レンズ保持枠２６３に保持され、付加レンズ保持枠２６３はレンズ保持枠２６２の背面に固定される。
【００４３】
上記のようなレンズユニット２００においてズーム環２０２が回転操作された場合、第一レンズ群２１０、第二レンズ群２２０、第三レンズ群２３０、第五レンズ群２５０および第六レンズ群２６０がそれぞれ固定筒２０１に対して移動する。これにより、レンズユニット２００に形成された光学系の倍率が変化する。また、レンズユニット２００の変倍の範囲を超えてズーム環２０２が回転操作された場合、レンズユニット２００は縮筒して沈胴状態になる。
【００４４】
図３は、レンズユニット２００の光軸Ｘに直交する断面を示す模式的断面図である。図１および図２と共通の要素には同じ参照番号を付して重複する説明を省く。レンズユニット２００において、ズーム環２０２、固定筒２０１、先側移動枠２０７、カム筒２９０および後側移動枠２０９は、光軸Ｘに対して互いに同軸に配される。
【００４５】
レンズユニット２００において、カム筒２９０に固定された連結ピン２８５は、径方向外側に向かって突出し、ズーム環２０２の内面に配された直進溝４０５に係合する。これにより、カム筒２９０は、ズーム環２０２と共に、光軸Ｘの廻りを固定筒２０１に対して回転する。また、カム筒２９０は、カム筒２９０の外周面に設けられた可動カムピン２９２を有する。可動カムピン２９２は、レンズユニット２００の径方向外側に向かって突出して、固定筒２０１の内面に設けられたカム溝４０２に係合する。
【００４６】
更に、カム筒２９０は、先端近傍において外周面から突出する圧入カムピン２９６と、内周面に設けられたカム溝２９４とを有する。圧入カムピン２９６は、圧入によりカム筒２９０に対して固定されて径方向外側に向かって突出し、先側移動枠２０７の内周面に形成されたカム溝２５６に係合する。カム溝２９４は、後側移動枠２０９の外周面に固定された圧入カムピン２６４と係合する。
【００４７】
先側移動枠２０７の直進突起部２５９は、固定筒２０１の内面に配された直進溝４０１に係合する。後側移動枠２０９の直進突起部２６９は、固定筒２０１の内面に配された直進溝４０４に係合する。これにより、先側移動枠２０７および後側移動枠２０９は、固定筒２０１に対する回転を規制される。
【００４８】
可動カムピン２９２、圧入カムピン２６４、２９６、連結ピン２８５およびカム溝２５６、２９４、４０２と、直進突起部２５９、２６９および直進溝４０１、４０４、４０５とは、各々３本ずつがレンズユニット２００の周方向に略等間隔に配される。これにより、カム筒２９０、先側移動枠２０７、カム筒２９０および後側移動枠２０９は、レンズユニット２００の周方向についてバランスよく駆動され、光軸Ｘに対して傾きを生じることが防止される。
【００４９】
また、カム筒２９０において、連結ピン２８５は、レンズユニット２００の周方向について可動カムピン２９２の近傍に配される。これにより、連結ピン２８５を駆動した場合に、可動カムピン２９２との位置のずれにより生じるカム筒２９０の光軸Ｘに対する傾きを抑制できる。同様に、圧入カムピン２６４は、レンズユニット２００の周方向について直進突起部２６９の近傍に配されることが好ましい。
【００５０】
なお、レンズユニット２００において、直進溝４０１、４０４、４０５の各々は、互いに平行な側壁を含む断面形状を有する。図示の断面において、直進溝４０１、４０４、４０５に係合する直進突起部２５９、２６９および連結ピンは、レンズユニット２００の周方向の幅が一定になる。
【００５１】
一方、レンズユニット２００において、カム溝２９４、２５６、４０２は、光軸Ｘに接近するほど周方向の幅が大きくなり、圧入カムピン２６４、２９６または可動カムピン２９２のカム溝２９４、２５６、４０２に対する嵌入方向に対して傾斜したカム面を有する。このようなカム溝２９４、２５６、４０２のテーバ状の断面形状は、屈曲したカムプロファイルを有するカム溝２９４、２５６、４０２を、円筒状の先側移動枠２０７、カム筒２９０および後側移動枠２０９に成形する場合に抜くことができる金型形状に由来する。
【００５２】
なお、圧入カムピン２６４、２９６および可動カムピン２９２の各々も、カム溝２９４、２５６、４０２の内面形状に倣ってレンズユニット２００の径方向に対して傾斜した面でカム溝４０２のカム面に接する。このため、圧入カムピン２６４、２９６および可動カムピン２９２の各々は、先端に行くに従って外径が小さくなる円錐台状の形状を有する。
【００５３】
図４は、沈胴状態にあるレンズユニット２００の部分的な断面を示す模式図である。図を簡潔にする目的で形状を単純化している。
【００５４】
なお、図３に示したように、可動カムピン２９２、圧入カムピン２６４、２９６、およびカム溝２５６、２９４、４０２は、レンズユニット２００の周方向についてそれぞれ異なる位置に配される。よって、これらの要素が、レンズユニット２００の光軸Ｘを含む単一の断面に同時に現れることはない。しかしながら、図４では、可動カムピン２９２および圧入カムピン２６４、２９６の光軸Ｘ方向の位置関係を示す目的で、これらの要素を併せて示している。
【００５５】
先側移動枠２０７の直進突起部２５９と後側移動枠２０９の直進突起部２６９とは、互いに独立した直進溝４０１、４０４に個別に係合する。これにより、レンズユニット２００が沈胴状態にある場合、先側移動枠２０７および後側移動枠２０９の後端部分は、光軸Ｘと平行な方向について同じ位置を占め、光軸Ｘを含む断面において重なることができる。よって、先側移動枠２０７および後側移動枠２０９の後端が固定筒２０１の後面に共に突き当たるまで後退させて、レンズユニット２００の光軸Ｘ方向の長さを短縮できる。
【００５６】
また、レンズユニット２００において、可動カムピン２９２の図中下端は、カム筒２９０の後端近傍に形成された収容部２９８に挿入されている。収容部２９８は、可動カムピン２９２を径方向に摺動可能に指示する。また、レンズユニット２００は、収容部２９８の内部に、可動カムピン２９２を径方向外側に向かって付勢するコイルばね２９１を有する。これにより、可動カムピン２９２の図中上端は、固定筒２０１のカム溝４０２に嵌入する方向に押し込まれる。よって、レンズユニット２００において、可動カムピン２９２とカム溝４０２との間にがたが生じることが防止される。
【００５７】
図５は、伸筒状態になったレンズユニット２００の断面を、図４に示した断面と比較して示す模式図である。図４と共通の要素には同じ参照番号を付す。
【００５８】
レンズユニット２００においてズーム環２０２が回転操作されると、連結ピン２８５によりズーム環２０２に連結されたカム筒２９０も、ズーム環２０２と共に、固定筒２０１に対して相対的に光軸Ｘの廻りを回転する。カム筒２９０は、カム筒２９０の後端近傍に設けられた収容部２９８に可動カムピン２９２の下端側を収容している。可動カムピン２９２の上端は、固定筒２０１の内面に形成されたカム溝４０２に係合しているので、カム筒２９０が回転すると、カム溝４０２に案内された可動カムピン２９２に導かれてカム筒２９０は、固定筒２０１の内部を光軸Ｘ方向に移動する。
【００５９】
カム筒２９０が光軸Ｘの廻りを回転した場合、カム筒２９０に対して固定されてカム筒２９０と共に回転する圧入カムピン２９６に対して、カム溝２５６で係合する先側移動枠２０７にも駆動力が伝達される。先側移動枠２０７は、直進突起部２５９が係合する直進溝４０１により回転を規制されるので、カム溝２５６から駆動力を伝達された場合は、回転することなく光軸Ｘと平行な方向に移動する。
【００６０】
同様に、カム筒２９０が光軸Ｘの廻りを回転した場合、カム筒２９０の内面に形成されたカム溝２９４もカム筒２９０と共に回転する。よって、カム溝２９４に係合する圧入カムピン２６４を有する後側移動枠２０９にも駆動力が伝達される。後側移動枠２０９は、直進突起部２６９が係合する直進溝４０４により回転を規制されるので、圧入カムピン２６４に駆動力を伝達された場合に、回転することなく光軸Ｘと平行な方向に移動する。
【００６１】
図６は、可動カムピン２９２を単独で示す斜視図である。可動カムピン２９２は、図中上端から順次、フォロワ面２９３、周溝２９５、摺動面２９７および段差２９９を有する。フォロワ面２９３は、カム溝４０２の内面形状に倣って環状の面をなして、カム溝４０２のカム面に接する。
【００６２】
周溝２９５は、可動カムピン２９２の長手方向についてフォロワ面２９３の中程に配され、可動カムピン２９２をカム溝４０２に対して抜き差しする方向に対して交差する方向に、フォロワ面２９３を周回して形成される。これにより、周溝２９５は、環状のフォロワ面２９３の周方向に延在する。また、周溝２９５は、フォロワ面２９３から陥没した形状を有する。よって、周溝２９５の上側と下側とで、フォロワ面２９３は連続した曲面をなす。
【００６３】
摺動面２９７は、フォロワ面２９３の図中下端に続いて形成され、円筒状の形状を有する。摺動面２９７の外径は、カム筒２９０の収容部２９８の内径に略等しい。よって、可動カムピン２９２の摺動面２９７が収容部２９８に挿入された場合、可動カムピン２９２は、カム筒２９０の周面に対して傾くことなく、径方向に摺動する。
【００６４】
摺動面２９７の下端には段差２９９が形成され、可動カムピン２９２の外径が縮小される。これにより、コイルばね２９１の付勢力を受ける面が形成される。また、可動カムピン２９２下端の細径部分をコイルばね２９１に挿通することにより、コイルばね２９１の倒れを防止できる。
【００６５】
図７は、可動カムピン２９２の中心軸Ｃを含む断面を示す断面図である。可動カムピン２９２において、周溝２９５は、フォロワ面２９３から陥没するように形成される。これにより、周溝２９５の内側には、可動カムピン２９２のフォロワ面２９３に対して角度をなす斜面が形成される。このような可動カムピン２９２は、例えば、金属材料を切削加工して製造できる。
【００６６】
図示の可動カムピン２９２において、周溝２９５の上下端部のうち、少なくとも可動カムピン２９２の先端側の端においては、フォロワ面２９３と周溝２９５内面とが鋭角をなす。これにより、周溝２９５とフォロワ面２９３との境界には鋭利なエッジ２８９が形成される。
【００６７】
図８は、伸筒状態のレンズユニット２００の先端に対して、図中に矢印Ａで示すように、光軸Ｘと平行な成分を含む衝撃が加わった状態を模式的に示す斜視図である。図７までと共通な要素には同じ参照番号を付す。
【００６８】
既に説明した通り、可動カムピン２９２は、光軸Ｘに対して傾きを有する面でカム溝４０２に当接する。また、圧入カムピン２６４、２９６も、光軸Ｘに対して傾きを有する面でカム溝２９４、２５６に当接する。
【００６９】
このため、レンズユニット２００の先端に光軸Ｘ方向の衝撃が加わった場合に、可動カムピン２９２および圧入カムピン２６４、２９６には、カム溝４０２、２９４、２５６から抜け出る作用が生じる。また、図中に直線状の二点鎖線を記載して示すように、固定筒２０１、先側移動枠２０７、後側移動枠２０９およびカム筒２９０の各々の変形も生じる。
【００７０】
しかしながら、カム筒２９０の可動カムピン２９２がカム溝４０２から向け出る方向に変位した場合には、周溝２９５が可動カムピン２９２の周方向に形成されているので、カム面の縁と固定筒２０１の内面との境界に形成された稜が周溝２９５内に入り込む。これにより、周溝２９５のエッジ２８９がカム溝４０２のカム面に当接して、可動カムピン２９２がカム溝４０２に引っ掛かり、可動カムピン２９２の脱落を阻止する。
【００７１】
これにより、可動カムピン２９２の脱落が規制され、カム筒２９０の固定筒２０１に対する脱調が防止される。このように、周溝２９５は、衝撃によりレンズユニット２００の各部が変形した場合に、カム溝４０２を含む固定筒２０１に接して引っ掛かかる配置と形状とを有し、外乱による可動カムピン２９２の脱調を防止する。
【００７２】
なお、上記のレンズユニット２００においては、固定筒２０１とカム筒２９０とを周溝を有する可動カムピン２９２により係合させる構造とした。しかしながら、カム筒２９０と先側移動枠２０７とを係合させる圧入カムピン２９６、カム筒２９０と後側移動枠２０９とを係合させる圧入カムピン２６４等の他のカムピンに周溝を設けても、上記の例と同様に脱調を抑制する作用が得られる。更に、圧入カムピン２６４、２９６の一部または全部を可動カムピン２９２に取り替えてもよい。
【００７３】
また、上記の形態では交換可能なレンズユニット２００を備えた一眼レフカメラ１００を例にあげて説明したが、クイックリターンミラーを備えていないノンフレックスカメラであっても上記の構造を適用できる。また、レンズユニット２００とカメラボディ３００とが一体になったカメラの他、カム機構により駆動する光学部材を備えた望遠鏡、測量器、顕微鏡等においても上記の構造を適用できる。
【００７４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００７５】
１００  一眼レフカメラ、２００  レンズユニット、２０１  固定筒、２０２  ズーム環、２０３  直進筒、２０４  先筒、２０６  案内筒、２０７  先側移動枠、２０９  後側移動枠、２０８  レンズ側マウント部、２１０  第一レンズ群、２１２、２２２、２３２、２３２、２４２、２５２、２６２、２６３  レンズ保持枠、２２０  第二レンズ群、２３０  第三レンズ群、２４０  第四レンズ群、２５０  第五レンズ群、２５６、２９４、４０２  カム溝、２５９、２６９  直進突起部、２６０  第六レンズ群、２６１  付加レンズ群、２６４、２８２、２９６  圧入カムピン、２７０  送りねじ組立体、２７２  ステッピングモータ、２７４  送りねじ、２７６  フレーム、２７８  ラック部材、２８５  連結ピン、２８６  バヨネット爪、２８７  キー、２８８、４０１、４０４、４０５  直進溝、２８９  エッジ、２９０  カム筒、２９１  コイルばね、２９２  可動カムピン、２９３  フォロワ面、２９５  周溝、２９７  摺動面、２９８  収容部、２９９  段差、３００  カメラボディ、３１０  シャッタユニット、３２０  基板、３２２  制御部、３２４  画像処理部、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディ側マウント部、３７０  ミラーユニット、３７１  メインミラー、３７２  メインミラー保持部、３７３  メインミラー回動軸、３７４  サブミラー、３７５  サブミラー保持部、３７６  サブミラー回動軸、３８０  合焦光学系、３８２  焦点検出センサ、３９０  測光センサ
【図１】
2014032356.tif 000003
【図２】
2014032356.tif 000004
【図３】
2014032356.tif 000005
【図４】
2014032356.tif 000006
【図５】
2014032356.tif 000007
【図６】
2014032356.tif 000008
【図７】
2014032356.tif 000009
【図８】
2014032356.tif 000010